(57)【要約】【課題】高齢者などの骨格形状に合わせて上半身の形状を変えることができる展示用又は縫製用のマネキン人形を提供する。【解決手段】複数の芯材からなる骨格体２０と骨格体２０を覆うプラスチック発泡体を備え、骨格体２０が、両肩間の骨格を形成する肩部芯材３０と、骨盤部分を形成する腰部芯材４０と、肩部芯材３０と腰部芯材４０を接続する脊柱芯材５０を備える。脊柱芯材５０は前後方向へ湾曲可能であり、上端部が下端部に対して３０°以上湾曲可能とする。上端部は、中間部に対して１０°以上湾曲可能であることが好ましく、中間部は、下端部に対して２０°以上湾曲可能であることが好ましい。【選択図】図２
0003205587.tif 000002
【実用新案登録請求の範囲】
【請求項１】
複数の芯材からなる骨格体と、前記骨格体を覆うプラスチック発泡体を備えるマネキン人形であって、
前記骨格体が、両肩間の骨格を形成する肩部芯材と、骨盤部分を形成する腰部芯材と、前記肩部芯材と前記腰部芯材を接続する脊柱芯材を備え、
前記脊柱芯材は、前後方向へ湾曲可能であり、上端部が下端部に対して３０°以上湾曲可能であることを特徴とするマネキン人形。
【請求項２】
前記脊柱芯材の前記上端部が、中間部に対して１０°以上湾曲可能であることを特徴とする請求項１に記載のマネキン人形。
【請求項３】
前記脊柱芯材の前記中間部が、前記下端部に対して２０°以上湾曲可能であることを特徴とする請求項１又は２に記載のマネキン人形。
【請求項４】
前記肩部芯材の両端部が、中心部に対して上下方向に湾曲可能であることを特徴とする請求項１乃至３の何れか１項に記載のマネキン人形。
【請求項５】
前記骨格体が、腕部を接続するための腕部接続部材を備えていることを特徴とする請求項１乃至４の何れか１項に記載のマネキン人形。
【請求項６】
前記骨格体が、頭部を接続するための頭部接続部材を備えていることを特徴とする請求項１乃至５の何れか１項に記載のマネキン人形。
【考案の詳細な説明】
【技術分野】
【０００１】
本考案は、衣類の展示や縫製のために用いられるマネキン人形であって、特に、上体の形状を大きく変えることができるマネキン人形に関する。
【背景技術】
【０００２】
衣類の展示などに用いられるマネキン人形は、従来、画一的な形態で用いられることが多かったが、少しずつ新しいものが見られるようになっている。
特許文献１には、スポーツ用品の展示に適したマネキン人形として、肩から腰にかけての屈曲や捩じりが可能であり、躍動感あふれるポーズや瞬間的な動きをリアルに表現することができるマネキン人形が紹介されている。
また、特許文献２には、３次元的な屈曲が可能で、マネキン人形の頸部関節や肩関節として使用可能な関節構造が紹介されている。
【０００３】
しかしながら、人は歳を重ねると骨格形状が変化するものであり、高齢者社会になった現在では、高齢者の体型に合わせた個性的な衣類が必要となっている。すなわち、背骨が湾曲した人、腰が折れ曲がった人、肩が落ちてなで肩になった人、または障害を負った人に対して、それぞれに適した衣類が数多く求められ、活動的で見栄えのよい衣類の研究が進められている。そして、これらを展示する手段として様々に変形可能なマネキン人形が求められている。
【０００４】
また、既製品の衣類だけでなく、オーダーメイドの高級品を求める高齢者も多くなり、仕立屋が使用する縫製用のマネキン人形においても、特に、上半身が多様に変形できるマネキン人形が求められている。すなわち、個々の顧客の骨格形状に対応して変形可能なマネキン人形であり、仕立屋が創意工夫を発揮するためのマネキン人形である。
【先行技術文献】
【特許文献】
【０００５】
【特許文献１】実用新案登録第３１８６４１３号公報
【特許文献２】実用新案登録第３１８６９８４号公報
【考案の概要】
【考案が解決しようとする課題】
【０００６】
したがって、本考案の目的は、高齢者などの多様な骨格形状に合わせた衣類を展示するためのマネキン人形であって、上半身の形状を大きく変えることができるマネキン人形を提供することにある。また、仕立屋が、個々の顧客の特徴的な体形を掌握するために最適なマネキン人形を提供することにある。
【課題を解決するための手段】
【０００７】
前記目的を達成するために、本考案のマネキン人形は、複数の芯材からなる骨格体と、前記骨格体を覆うプラスチック発泡体を備えるマネキン人形であって、前記骨格体が、両肩間の骨格を形成する肩部芯材と、骨盤部分を形成する腰部芯材と、前記肩部芯材と前記腰部芯材を接続する脊柱芯材を備え、前記脊柱芯材は、前後方向へ湾曲可能であり、上端部が下端部に対して３０°以上湾曲可能であることを特徴としている。
【０００８】
そして、前記脊柱芯材の前記上端部が、中間部に対して１０°以上湾曲可能とすることができる。
また、前記脊柱芯材の前記中間部が、前記下端部に対して２０°以上湾曲可能とすることができる。
【０００９】
そして、前記肩部芯材の両端部が、中心部に対して上下方向に湾曲可能とすることが好ましい。
また、前記骨格体は、腕部を接続するための腕部接続部材を備えることができる。
また、前記骨格体は、頭部を接続するための頭部接続部材を備えることができる。
【考案の効果】
【００１０】
本考案のマネキン人形は、脊柱芯材を前後に湾曲できるようにしたことにより、骨格体の形状を変化させて、多様な形態の上体を作り出すことができる。したがって、高齢者の多様な骨格形状を表現して、それに相応しい衣類を展示することが可能である。
また、仕立屋は、使用しているマネキン人形に個々の顧客の特徴を持たせて、衣類の縫製を行うことが可能である。
【図面の簡単な説明】
【００１１】
【図１】本考案のマネキン人形の一例を示す概略正面図及び側面図である。
【図２】本考案のマネキン人形の骨格体の一例を示す概略斜視図である。
【図３】脊柱芯材についての説明図である。
【図４】図１のマネキン人形が脊柱芯材を湾曲させたときの概略側面図である。
【図５】肩部芯材についての説明図である。
【図６】肩部芯材の湾曲効果を比較して示す概略正面図である。
【考案を実施するための形態】
【００１２】
図１は、本考案の実施形態の一例であって、上半身のみのマネキン人形（ファンドールトルソ−）である。
マネキン人形１０は、スタンド１９に取り付けられる人形本体１１と、人形本体１１に着脱可能な頭部１７及び両腕部１６、１６で構成されている。
【００１３】
マネキン人形１０は、図２に示すような骨格体２０を、図示しないプラスチック発泡体で覆い、プラスチック発泡体の外表面を布で覆うことによって形成されている。
プラスチック発泡体としては、一般的にウレタンフォームが用いられているが、その他スチレン重合体やオレフィン重合体を用いることができる。
【００１４】
図２は、骨格体２０の一例を示している。本考案のマネキン人形１０は、骨格体２０に特徴を備えている。
骨格体２０は、両肩間の骨格を形成する肩部芯材３０と、骨盤部分を形成する腰部芯材４０と、肩部芯材３０と腰部芯材４０を接続する脊柱芯材５０を備えている。
そして、脊柱芯材５０は、前後方向へ湾曲可能であって、その上端部が下端部に対して３０°以上湾曲可能となっている。これによって、背骨が湾曲した人や腰が折れ曲がった人を表現することができる。
【００１５】
肩部芯材３０は、その中心部に頭部接続部材７１を備えており、ここに頭部１７を接続することができる。また、左右の両端部に腕部接続部材７５、７５を備えており、ここに腕部１６、１６を接続することができる。そして、肩部芯材３０も、上下方向へ湾曲可能とすることができる。これによって、なで肩になった人を表現することができる。
【００１６】
腕部芯材６０は、肩部接続部材６５を備えており、肩部芯材３０の腕部接続部材７５に対して着脱可能に接続することができる。
腕部芯材６０も、肩関節部、肘関節部及び指部において、屈曲可能となっていることが好ましい。これによって、腕部１６に動きや表情を付けることができる。
なお、腕部１６や頭部１７の接続構造として、特許文献２に記載された関節構造を使用することもできる。
【００１７】
図３により、脊柱芯材５０の「湾曲」について説明する。
脊柱芯材５０は、前後方向に湾曲可能となるように形成されている。ここで、湾曲可能とは、人の力によって容易に塑性変形する柔軟性を備えていることである。同時に、塑性変形をした後においても、マネキン人形１０自身の荷重や多少の外力に対して変形しない剛性を備えていることである。
【００１８】
脊柱芯材５０は、線状、棒状又は板状などの金属材料を使用して形成される。金属材料としては、剛性と可塑性とを適度に併せ持つように、従来から知られた軽量合金やなまし鋼などを使用することができる。そして、適度な太さや本数を選ぶことによって、強さを適度に調節することができる。
【００１９】
なお、湾曲には、脊柱芯材５０における部分的な湾曲や、部分的に曲率の大きい湾曲を含むことにする。例えば、背骨が湾曲した人を表現するときは、脊柱芯材５０の上半部を前方に湾曲させる。また、腰が折れ曲がった人を表現するときは、脊柱芯材５０の下半部を前方に湾曲させる。
【００２０】
湾曲の程度は、湾曲させた脊柱芯材５０に接線を引き、接線の傾きによって表わすことができる。図３では、脊柱芯材５０の上端部５１、下端部５３及び中間部５５に接線を引いて傾きを示している。
すなわち、上端部５１は、下端部５３に対して角度θ１湾曲している。上端部５１は、中間部５５に対して角度θ２湾曲している。中間部５５は、下端部５３に対して角度θ３湾曲している。
【００２１】
そして、脊柱芯材５０の湾曲可能な範囲を、角度の範囲で表わすことができる。
上端部５１が下端部５３に対して湾曲可能な範囲、すなわち角度θ１の範囲は、３０°以上であることが好ましく、６０°以上であることがより好ましく、９０°程度であることがさらに好ましい。
【００２２】
また、上端部５１が中間部５５に対して湾曲可能な範囲、すなわち角度θ２の範囲は、１０°以上が好ましく、２０°以上がより好ましく、３０°程度がさらに好ましい。
また、中間部５５が下端部５３に対して湾曲可能な範囲、すなわち角度θ３の範囲は、２０°以上が好ましく、４５°以上がより好ましく、６０°程度がさらに好ましい。
【００２３】
このように、脊柱芯材５０を前後方向に湾曲可能とすることによって、湾曲した背骨や折れ曲がった腰を表現することができる。
そして、図１に示したマネキン人形１０の骨格体２０を変形させることにより、図４に示す腰の曲がった老人を表わすマネキン人形１０ａとすることができる。
【００２４】
図５により、肩部芯材３０の湾曲について説明する。
肩部芯材３０は、脊柱芯材５０と同様に、湾曲可能であることが好ましい。すなわち、肩部芯材３０の中心部３５に対して、腕部接続部材７５が位置している両端部が上下方向に湾曲可能であることが好ましい。
【００２５】
湾曲の程度は、肩部芯材３０が水平状態をなしているときを基準として、湾曲によって下がった両端部の移動量で表わすことができる。すなわち、図５に示すように、肩部芯材３０の中心部３５から端部までの長さを肩長Ｌとし、端部の移動量を深さＤとするとき、両者の比Ｄ／Ｌで表わすことにする。
【００２６】
そして、湾曲によって得られる比Ｄ／Ｌの範囲は、０．１以上であることが好ましく、０．２以上がより好ましく、０．３以上がさらに好ましい。
このように、肩部芯材３０を上下方向に湾曲可能とすることによって、なで肩になった人を表現することができる。そして、図６に示すように、マネキン人形１０を、なで肩になった老人を表わすマネキン人形１０ｂとすることができる。
【００２７】
なお、肩部芯材３０に取り付けられる腕部接続部材７５は、肩部芯材３０を湾曲させたときに腕部接続部材７５の取付角度が変化しないことが好ましい。すなわち、腕部接続部材７５は、肩部芯材３０の端部に対して回動可能であることが好ましく、肩部芯材３０を湾曲させても腕部１６の向きなどに影響を与えないことが好ましい。
【００２８】
以上、図面を参照して、本考案の実施の形態を詳述してきたが、具体的な構成は、これらの実施の形態に限らず、本考案の要旨を逸脱しない程度の設計的変更は、本考案に含まれる。
【００２９】
例えば、マネキン人形として、上半身のみのトルソ−で示したが、下半身を備える全身のマネキン人形とすることもできる。また、老人のマネキン人形として示したが、若者や子供のマネキン人形とすることもできる。
【符号の説明】
【００３０】
２０：  骨格体
３０：  肩部芯材
４０：  腰部芯材
５０：  脊柱芯材
【図１】
0003205587.tif 000003
【図２】
0003205587.tif 000004
【図３】
0003205587.tif 000005
【図４】
0003205587.tif 000006
【図５】
0003205587.tif 000007
【図６】
0003205587.tif 000008
【手続補正書】
【提出日】平成28年5月27日(2016.5.27)
【手続補正１】
【補正対象書類名】実用新案登録請求の範囲
【補正対象項目名】全文
【補正方法】変更
【補正の内容】
【実用新案登録請求の範囲】
【請求項１】
複数の芯材からなる骨格体と、前記骨格体を覆うプラスチック発泡体を備えるマネキン人形であって、
前記骨格体が、両肩間の骨格を形成する肩部芯材と、骨盤部分を形成する腰部芯材と、前記肩部芯材と前記腰部芯材を接続する脊柱芯材を備え、
前記脊柱芯材は、前後方向へ湾曲可能であり、上端部が下端部に対して３０°以上湾曲可能であることを特徴とするマネキン人形。
【請求項２】
前記脊柱芯材の前記上端部が、中間部に対して１０°以上湾曲可能であることを特徴とする請求項１に記載のマネキン人形。
【請求項３】
前記脊柱芯材の中間部が、前記下端部に対して２０°以上湾曲可能であることを特徴とする請求項１に記載のマネキン人形。
【請求項４】
前記肩部芯材の両端部が、中心部に対して上下方向に湾曲可能であることを特徴とする請求項１乃至３の何れか１項に記載のマネキン人形。
【請求項５】
前記骨格体が、腕部を接続するための腕部接続部材を備えていることを特徴とする請求項１乃至４の何れか１項に記載のマネキン人形。
【請求項６】
前記骨格体が、頭部を接続するための頭部接続部材を備えていることを特徴とする請求項１乃至５の何れか１項に記載のマネキン人形。